(57)【要約】【課題】シートの物性値が異なっても画像形成後の品質を安定させる。【解決手段】シートの表面に画像を形成する画像形成部６と、画像形成部６へシートを供給するとともに、画像形成部６で画像が形成されたシートを排出する搬送手段と、画像形成パラメータおよび搬送パラメータをシートの物性値と対応付けて記憶する記憶部５と、シートに埋め込まれた物性値を読み取るタグリーダ７０と、読み取られた物性値に対応する画像形成パラメータまたは搬送パラメータを記憶部５から読み出して、この画像形成パラメータを用いて画像形成部６を制御するとともに、この搬送パラメータを用いてシートの搬送を制御する画像形成装置を提供する。【選択図】      図１
2006091349.tif 000002
【特許請求の範囲】
【請求項１】
当該シートの物性値が埋め込まれたシートの表面に画像を形成する画像形成手段と、
前記画像形成手段へ前記シートを供給するとともに、前記画像形成手段で画像が形成されたシートを排出する搬送手段と、
前記画像形成手段の制御に用いられる画像形成パラメータ、および前記搬送手段の制御に用いられる搬送パラメータを前記シートの物性値と対応付けて記憶する記憶手段と、
前記シートに埋め込まれた物性値を読み取る読取手段と、
前記読取手段で読み取られた物性値に対応する画像形成パラメータまたは搬送パラメータを前記記憶手段から読み出して、該画像形成パラメータを用いて前記画像形成手段を制御するとともに、該搬送パラメータを用いて前記搬送手段を制御する制御手段と
を有する画像形成装置。
【請求項２】
前記物性値は、前記シートの透過率、反射率、抵抗値、平滑度、熱容量、含水率、光沢度、こわさ、蛍光度、厚さ、サイズ、重量、坪量のうち少なくとも１つを含むことを特徴とする請求項１に記載の画像形成装置。
【請求項３】
前記画像形成手段は、前記シートに画像を転写する転写手段と、該転写手段により転写された画像を該シートに定着させる定着手段とを有し、
前記画像形成パラメータは、前記転写手段における転写電流および転写電圧、前記定着手段における定着温度および定着圧力のうち少なくとも１つを含む
ことを特徴とする請求項１に記載の画像形成装置。
【請求項４】
前記搬送パラメータは、前記搬送手段における搬送速度およびニップ圧のうち少なくとも１つを含むことを特徴とする請求項１に記載の画像形成装置。
【請求項５】
入力された画像に対して所定の処理を加える画像処理手段を有し、
前記画像形成パラメータは、前記画像処理手段における画像処理条件を含む
ことを特徴とする請求項１に記載の画像形成装置。
【請求項６】
前記読取手段は、前記シートに付されたＩＣタグに書き込まれている物性値を読み取ることを特徴とする請求項１に記載の画像形成装置。
【請求項７】
当該シートの物性値が埋め込まれたシートと、画像形成装置とからなる画像形成システムにおいて、
前記画像形成装置は、
前記シートの表面に画像を形成する画像形成手段と、
前記画像形成手段へ前記シートを供給するとともに、前記画像形成手段で画像が形成されたシートを排出する搬送手段と、
前記画像形成手段の制御に用いられる画像形成パラメータ、および前記搬送手段の制御に用いられる搬送パラメータを前記シートの物性値と対応付けて記憶する記憶手段と、
前記シートに埋め込まれた物性値を読み取る読取手段と、
前記読取手段で読み取られた物性値に対応する画像形成パラメータまたは搬送パラメータを前記記憶手段から読み出して、該画像形成パラメータを用いて前記画像形成手段を制御するとともに、該搬送パラメータを用いて前記搬送手段を制御する制御手段と
を有することを特徴とする画像形成システム。
【発明の詳細な説明】
【技術分野】
【０００１】
本発明は、シートの種類に応じて画像形成装置を制御する技術に関する。
【背景技術】
【０００２】
画像形成に用いるシートにシートの属性を表す情報（属性データ）を予め埋め込んでおき、画像形成の際に画像形成装置に属性データを読み取らせ、シートの属性に基づいて画像形成装置を制御する技術が知られている（例えば、特許文献１）。埋め込まれる属性データは、例えば、シートの材質、サイズ、厚さなどを表す情報である。シートに属性データを埋め込む方法としては、シートに取り付けたＩＣ（Integrated Circuit）タグに属性データを書き込む方法や、属性データを表すバーコードの画像を不可視トナーなどを用いてシート表面に形成する方法などがある。画像形成装置は、シートの属性に応じた制御パラメータを記憶している。画像形成装置は、シートから読み取られた属性データに対応する制御パラメータを読み出し、この制御パラメータを用いて、シートの搬送や画像形成に関する制御を行う。この技術を用いれば、シートの種類に応じて搬送や画像形成のための制御を行うことが可能となる。
【特許文献１】特開２００２−８６８６２号公報
【発明の開示】
【発明が解決しようとする課題】
【０００３】
ところが、上記の技術には以下に示す問題点がある。シートの特性を表す物性値は多岐に及び、例えば同じ材質、サイズ、厚さのシートであっても、物性値が異なれば画像形成後の仕上がりも異なってくる。例えば、同一条件で画像形成を行ったにも関わらず、特定の銘柄のシートでカールやしわが生じてしまうといった事態が生じ得る。
本発明は、上述した背景の下になされたものであり、シートの物性値が異なっても画像形成後の品質を安定させることのできる技術の提供を目的とする。
【課題を解決するための手段】
【０００４】
上述の課題を解決するために、本発明は、当該シートの物性値が埋め込まれたシートの表面に画像を形成する画像形成手段と、前記画像形成手段へ前記シートを供給するとともに、前記画像形成手段で画像が形成されたシートを排出する搬送手段と、前記画像形成手段の制御に用いられる画像形成パラメータ、および前記搬送手段の制御に用いられる搬送パラメータを前記シートの物性値と対応付けて記憶する記憶手段と、前記シートに埋め込まれた物性値を読み取る読取手段と、前記読取手段で読み取られた物性値に対応する画像形成パラメータまたは搬送パラメータを前記記憶手段から読み出して、該画像形成パラメータを用いて前記画像形成手段を制御するとともに、該搬送パラメータを用いて前記搬送手段を制御する制御手段とを有する画像形成装置を提供する。
上記の画像形成装置によれば、シートに埋め込まれた当該シートの物性値が読取手段によって読み取られ、この物性値に対応する画像形成パラメータまたは搬送パラメータが記憶手段から読み出される。そして、この画像形成パラメータを用いて画像形成手段の制御が行われ、搬送パラメータを用いて搬送手段の制御が行われる。
【０００５】
上記の画像形成装置においては、前記物性値は、前記シートの透過率、反射率、抵抗値、平滑度、熱容量、含水率、光沢度、こわさ、蛍光度、厚さ、サイズ、重量、坪量のうち少なくとも１つを含むことが好ましい。
また、上記の画像形成装置においては、前記画像形成手段は、前記シートに画像を転写する転写手段と、該転写手段により転写された画像を該シートに定着させる定着手段とを有し、前記画像形成パラメータは、前記転写手段における転写電流および転写電圧、前記定着手段における定着温度および定着圧力のうち少なくとも１つを含むことが好ましい。
また、上記の画像形成装置においては、前記搬送パラメータは、前記搬送手段における搬送速度およびニップ圧のうち少なくとも１つを含むことが好ましい。
また、上記の画像形成装置においては、入力された画像に対して所定の処理を加える画像処理手段を有し、前記画像形成パラメータは、前記画像処理手段における画像処理条件を含むことが好ましい。
また、上記の画像形成装置においては、前記読取手段は、前記シートに付されたＩＣタグに書き込まれている物性値を読み取ることが好ましい。
【０００６】
また、本発明は、当該シートの物性値が埋め込まれたシートと、画像形成装置とからなる画像形成システムにおいて、前記画像形成装置は、前記シートの表面に画像を形成する画像形成手段と、前記画像形成手段へ前記シートを供給するとともに、前記画像形成手段で画像が形成されたシートを排出する搬送手段と、前記画像形成手段の制御に用いられる画像形成パラメータ、および前記搬送手段の制御に用いられる搬送パラメータを前記シートの物性値と対応付けて記憶する記憶手段と、前記シートに埋め込まれた物性値を読み取る読取手段と、前記読取手段で読み取られた物性値に対応する画像形成パラメータまたは搬送パラメータを前記記憶手段から読み出して、該画像形成パラメータを用いて前記画像形成手段を制御するとともに、該搬送パラメータを用いて前記搬送手段を制御する制御手段とを有することを特徴とする画像形成システムを提供する。
【発明の効果】
【０００７】
本発明によれば、シートの物性値が異なっても画像形成後の品質を安定させることができる。
【発明を実施するための最良の形態】
【０００８】
以下、図面を参照して、本発明の実施形態について説明する。
図１は、本発明の実施形態にかかる画像形成装置１の構成を示す図である。本実施形態においては、複写機の例を用いて説明するが、プリンタ等にも本発明は適用可能である。
画像形成装置１は、図示しないＣＰＵ（Central Processing Unit）、ＲＯＭ（Read Only Memory）、ＲＡＭ（Random Access Memory）等（いずれも図示省略）からなる制御部４を有し、ＲＯＭに格納されたコンピュータプログラムをＣＰＵが実行することによって画像形成装置１各部の制御を行う。指示入力部４１は、テンキー、スタートボタン等からなるキーボード４０、タッチパネル機能を有する液晶パネルからなる表示部３９を備えており、画像形成装置１に対する指示を入力することができる。また、画像形成装置１に異常等が発生した場合に、タッチパネル上に情報を表示することができる。
【０００９】
給紙トレイ９には画像を形成するためのＩＣタグ付きシート１００が収容される。ユーザが指示入力部４１により画像形成の指示を入力すると、給紙ローラ３３が回転駆動され、給紙トレイ９からＩＣタグ付きシート１００を１枚ずつ送り出す。給紙トレイ９から送り出されたＩＣタグ付きシート１００はローラ対３４、３５、３７によって搬送路３６に沿って搬送される。
転写ベルト８は、ローラ２６、２７、２８、２９に張架されており、矢印Ｂの方向に循環駆動される。
【００１０】
画像入力部１２は、原稿を光学的に読み取って画像データを生成するスキャナ装置である。プラテンガラス２上に載置された原稿に対して光源１３により光が照射され、この反射光が光学系３によって処理される。反射光は、ミラー１４、１５、１６を介して受光部１７で受光される。そして、画像処理部１８が反射光を電気信号に変換し、画像データを生成する。
制御部４は、画像入力部１２で生成された画像データに基づいてイエロー、マゼンタ、シアン、ブラックの各色の信号を生成し、後述する露光装置に供給する。
記憶部５には、画像形成装置１の制御に用いる制御パラメータが記憶されている。この制御パラメータについては後述する。
【００１１】
画像形成部６は、画像形成エンジン７Ｙ、７Ｍ、７Ｃ、７Ｋ、転写ベルト８等からなる。
画像形成エンジン７Ｙ、７Ｍ、７Ｃ、７Ｋは、それぞれイエロー（Ｙ）、マゼンタ（Ｍ）、シアン（Ｃ）、ブラック（Ｋ）の各色のトナー像を形成する。各画像形成エンジンの構成は共通であるから、ここでは画像形成エンジン７Ｙについてのみ説明する。
画像形成エンジン７Ｙは、静電潜像が形成される像担持体としての感光体ドラム２０Ｙの周囲に、帯電装置２１Ｙ、露光装置１９Ｙ、現像装置２２Ｙ、クリーナ２４Ｙ等を設けて構成されている。
【００１２】
帯電装置２１Ｙは、矢印Ａの方向に回転駆動される感光体ドラム２０Ｙの表面を所定の電位に帯電させる。
露光装置１９Ｙは、帯電装置３Ｙによって所定の電位に帯電した感光体ドラム２Ｙに対して、画像データに基づいた露光用ビームＬＢを照射するＲＯＳ（Raster Output Scanner）である。露光装置１９Ｙは、図示しない半導体レーザーから画像データに基づいてレーザー光を出射し、このレーザー光を偏向走査することにより感光体ドラム２０Ｙの表面に静電潜像を形成する。感光体ドラム２０Ｙの表面では、レーザー光が照射された部分の電位が、感光体ドラム２０Ｙの有する光導電性により所定のレベルまで減少する。このように、感光体ドラム２０Ｙの表面電位が変化することにより、感光体ドラム２０Ｙの表面には画像データにもとづいた静電潜像が形成される。
【００１３】
現像装置２２Ｙは、感光体ドラム２０Ｙ表面に形成された静電潜像を顕像化する装置である。トナータンク２３Ｙからはトナー（帯電色材）が供給され、感光体ドラム２０Ｙの帯電極性と同極性に帯電したトナーによって静電潜像を反転現像することによってトナー像を得る。
感光体ドラム２０Ｙはその下方に位置する転写ベルト８と圧接しており、上記のようにして形成されたトナー像が転写ベルト８に転写される。
クリーナ２４Ｙは、感光体ドラム２０Ｙに残存したトナーを除去する装置である。
【００１４】
以上が画像形成エンジン７Ｙの構成である。画像形成エンジン７Ｍ、７Ｃ、７Ｋにおいても各色に対応したトナー像が形成され、転写ベルト８に重ねて転写される。なお、これ以降、画像形成エンジン７Ｙ、７Ｍ、７Ｃ、７Ｋを区別する必要のない場合には、単に画像形成エンジン７と称する。他の構成要素についても同様に、Ｙ、Ｍ、Ｃ、Ｋの別を区別する必要のない場合には、Ｙ、Ｍ、Ｃ、Ｋの表記を省略するものとする。
【００１５】
給紙トレイ９から搬送路３６上に送り出されたＩＣタグ付きシート１００は、転写ベルト８と転写ローラ３０とが形成するニップ部に進入し、転写ベルト８に圧接される。この圧接力および静電吸引力によってトナー像がＩＣタグ付きシート１００の表面に転写される。
トナー像が転写されたＩＣタグ付きシート１００は、ローラ対３１によって定着装置１１に導かれる。定着装置１１においては、ＩＣタグ付きシート１００に対して加圧および加熱が施され、トナー像がＩＣタグ付きシート１００に定着される。このようにして画像形成が行われたＩＣタグ付きシート１００は、排紙トレイ３２に排出される。
【００１６】
図２は、ＩＣタグ付きシート１００の構成を示す図である。シート１０１は、例えばＪＩＳ（日本工業規格）Ａ４サイズの普通紙であり、その上隅にはＩＣタグ１０２が取り付けられている。このＩＣタグ１０２は、外部装置との間で非接触式でデータの授受を行うことのできる、いわゆる無線ＩＣタグである。ＩＣタグ１０２は、書き込まれたデータを保持する不揮発性の半導体メモリ、コイル状のアンテナ等からなり、外部の機器との間でマイクロ波、誘導電磁界等を用いてデータ通信を行うことができる。ＩＣタグ１０２には、当該ＩＣタグが付されているシートの透過率、反射率、抵抗値、厚さ、サイズ、平滑度、重量、熱容量、含水率、坪量、光沢度、こわさ、蛍光度を表すデータ（物性値）のうち少なくとも１つが予め書き込まれている。図３は、ＩＣタグ１０２に書き込まれている物性値の例を示す図である。
【００１７】
画像形成装置１の記憶部５には、画像形成装置１の制御に用いる制御パラメータと上記の物性値とを対応付けたルックアップテーブルが記憶されている。制御パラメータは、画像形成に関する制御に用いられる画像形成パラメータ、シートの搬送に関する制御に用いられる搬送パラメータに大別される。画像形成パラメータの種類は、トナー像を転写ベルト８あるいはＩＣタグ付きシート１００に転写する際の転写電流、転写電圧、定着装置１１における定着温度および定着圧力、画像処理部１８における画像処理条件などである。搬送パラメータの種類は、ＩＣタグ付きシート１００の搬送速度、ニップ圧などである。
【００１８】
給紙ローラ３３の近傍には、ＩＣタグ１０２からデータを読み取るためのタグリーダ７０が設けられている。給紙トレイ９からＩＣタグ付きシート１００が送り出される際、ＩＣタグ付きシート１００に付されたＩＣタグ１０２に書き込まれている物性値がタグリーダ７０によって読み取られる。画像形成装置１０の制御部４は、記憶部５に記憶されているルックアップテーブルＬＵＴから、この物性値に対応する制御パラメータを読み出し、この制御パラメータを画像形成装置１各部の制御に用いる。
【００１９】
以上説明したように、本発明によれば、シートに埋め込まれた物性値に応じた制御パラメータを用いて画像形成手段および搬送手段が制御される。これによって、シートの物性値が異なっても画像形成後の品質を安定させることができる。物性値には、シートの透過率、反射率、抵抗値、平滑度、熱容量、含水率、光沢度、こわさ、蛍光度、厚さ、サイズ、重量、坪量のうち少なくとも１つが含まれているから、きめ細かな制御が可能となる。
【００２０】
＜変形例＞
以上説明した形態に限らず、本発明は種々の形態で実施可能である。例えば、上述の実施形態を以下のように変形した形態でも実施可能である。
上記の実施形態においては、シートに付されたＩＣタグに書き込まれたシートの物性値を読み取る例を示したが、この物性値を表すバーコードの画像をシート上に形成するようにしてもよい。この場合、紫外線あるいは赤外線のみを吸収し可視光を透過する不可視の記録材料を用いてバーコードの画像を形成すれば、ユーザにとって余計な情報が視認されることがないから好ましい。
上記の実施形態においては、マイクロ波または誘導電磁界を用いてデータを授受する非接触式のＩＣタグを用いた例を示したが、接触式のＩＣタグを用いてもよい。
【図面の簡単な説明】
【００２１】
【図１】画像形成装置１の構成を示す図である。
【図２】ＩＣタグ付きシート１００の構成を示す図である。
【図３】ＩＣタグに書き込まれている物性値の例を示す図である。
【符号の説明】
【００２２】
１…画像形成装置、１２…画像入力部、２…プラテンガラス、３…光学系、４…制御部、５…記憶部、４１…指示入力部、３９…表示部、４０…キーボード、９…給紙トレイ、３３…給紙ローラ、３４、３５、３７…ローラ対、３６…搬送路、８…転写ベルト、２６、２７、２８、２９…ローラ、１２…プラテンガラス、１３…光源、１４、１５、１６…ミラー、１７…受光部、１８…画像処理部、６…画像形成部、７Ｙ、７Ｍ、７Ｃ、７Ｋ…画像形成エンジン、２０Ｙ…感光体ドラム、２１Ｙ…帯電装置、１９Ｙ…露光装置、２２Ｙ…現像装置、２４Ｙ…クリーナ、３０…転写ローラ、３１…ローラ対、３２…排紙トレイ、１００…ＩＣタグ付きシート、１０１…シート、１０２…ＩＣタグ、７０…タグリーダ。
【図１】
2006091349.tif 000003
【図２】
2006091349.tif 000004
【図３】
2006091349.tif 000005